(57)【特許請求の範囲】
【請求項１】
室外熱交換器及び室内熱交換器の間に配され、冷媒の流量を調節する調節弁と、
該調節弁の開度を制御する調節弁制御部と、
室内温度を測定する室内温度測定部と、
室内湿度を測定する湿度測定部と
を備え、
前記調節弁制御部は、
冷房の起動時に、
前記室内温度測定部が測定した室内温度が第１閾値よりも高い場合、又は前記湿度測定部が測定した室内湿度が第２閾値よりも高い場合、前記調節弁の初期開度を第１開度に制御し、
前記室内温度が前記第１閾値以下であり、かつ前記室内湿度が前記第２閾値以下である場合、前記調節弁の初期開度を前記第１開度よりも開度が小さい第２開度に制御する
ことを特徴とする空気調和機。
【請求項２】
室外温度を測定する室外温度測定部を更に備え、
前記調節弁制御部は、
更に、冷房の起動時に、前記室外温度測定部が測定した室外温度が第３閾値以上であり、かつ前記室内湿度が前記第２閾値以下である場合には、前記調節弁の初期開度を前記第２開度に制御する
ことを特徴とする請求項１に記載の空気調和機。
【請求項３】
圧縮機と、
室内温度及び室外温度に基づいて設定された目標回転数に基づき、前記圧縮機の動作を制御する圧縮機制御部と
を更に備え、
前記第１開度及び第２開度は、前記目標回転数に対応して設定されており、
前記第２開度は、前記第１開度との差が前記目標回転数の大小に応じて大小となるように設定されている
ことを特徴とする請求項２に記載の空気調和機。
【請求項４】
前記圧縮機制御部は、
前記圧縮機を作動開始から所定の回転数で作動させた後、前記目標回転数に基づいて回転数を上昇させて前記圧縮機を作動させ、
前記調節弁制御部は、
前記圧縮機制御部が前記圧縮機の回転数を上昇させた後、
前記調節弁の初期開度を前記第１開度としている場合、第１速度で、前記第２開度より小さい第３開度まで絞り、
前記調節弁の初期開度を前記第２開度としている場合、前記第１速度よりも速い第２速度で前記第３開度まで絞る
ことを特徴とする請求項３に記載の空気調和機。
【請求項５】
前記室外熱交換器には複数の室内熱交換器が接続されていることを特徴とする請求項１から請求項４までのいずれか一つに記載の空気調和機。
【発明の詳細な説明】
【技術分野】
【０００１】
本発明は、空気調和機に関する。
【背景技術】
【０００２】
冷房機能及び暖房機能等を有する空気調和機は、一般に室外に設置される室外熱交換器と、室内に設置される室内熱交換器とを備える。室外熱交換器は膨張弁及び圧縮機夫々に接続されている。また、室内熱交換器は、前記膨張弁及び圧縮機夫々に接続されている。
【０００３】
圧縮機、室外熱交換機、膨張弁及び室内熱交換器は、冷凍サイクルを形成しており、空気調和機は、冷凍サイクルを利用して、室内機が設置された室内の冷房又は暖房等を行う。空気調和機が冷房を行う場合、冷媒が圧縮機、室外熱交換機、膨張弁及び室内熱交換器の順に移動する。具体的には、気体状の冷媒は、圧縮機により高温高圧となり、室外熱交換器を経て冷却され、液体となる。その後、冷媒は、膨張弁によりその流量が調節されつつ、減圧されて室内熱交換器に入り、蒸発して周囲の熱を奪い、低温低圧の気体となって圧縮機に戻る。ここで、室外熱交換器は凝縮器として機能し、室内熱交換器は、蒸発器として機能する（例えば、特許文献１参照）。
【先行技術文献】
【特許文献】
【０００４】
【特許文献１】特許第３２３３４４７号公報
【発明の概要】
【発明が解決しようとする課題】
【０００５】
しかしながら、空気調和機の起動時においては、冷媒の液化作用が不安定なため、室外熱交換器及び膨張弁の間において、気体及び液体が混ざり合っている。ここで、膨張弁の開度によっては、気体及び液体が混合した冷媒が膨張弁を通過する際、不快な音、いわゆる冷媒音が発生するという問題が生じる。
【０００６】
本発明は、斯かる事情に鑑みてなされたものであり、その目的とするところは、冷媒音を抑制することができる空気調和機を提供することにある。
【課題を解決するための手段】
【０００７】
本発明に係る空気調和機は、室外熱交換器及び室内熱交換器の間に配され、冷媒の流量を調節する調節弁と、該調節弁の開度を制御する調節弁制御部と、室内温度を測定する室内温度測定部と、室内湿度を測定する湿度測定部とを備え、前記調節弁制御部は、前記室内温度測定部が測定した室内温度が第１閾値よりも高い場合、又は前記湿度測定部が測定した室内湿度が第２閾値よりも高い場合、前記調節弁を第１開度に制御し、前記室内温度が前記第１閾値以下であり、かつ前記室内湿度が前記第２閾値以下である場合、前記調節弁を前記第１開度よりも開度が小さい第２開度に制御することを特徴とする。
【０００８】
本発明に係る空気調和機は、室外温度を測定する室外温度測定部を更に備え、前記調節弁制御部は、更に、前記室外温度測定部が測定した室外温度が第３閾値以上であり、かつ前記室内湿度が前記第２閾値以下である場合には、前記調節弁を前記第２開度に制御することを特徴とする。
【０００９】
本発明に係る空気調和機は、圧縮機と、室内温度及び室外温度に基づいて設定された目標回転数に基づき、前記圧縮機の動作を制御する圧縮機制御部とを更に備え、前記第１開度及び第２開度は、前記目標回転数に対応して設定されており、前記第２開度は、前記第１開度との差が前記目標回転数の大小に応じて大小となるように設定されていることを特徴とする。
【００１０】
本発明に係る空気調和機は、前記圧縮機制御部は、前記圧縮機を作動開始から所定の回転数で作動させた後、前記目標回転数に基づいて回転数を上昇させて前記圧縮機を作動させ、前記調節弁制御部は、前記圧縮機制御部が前記圧縮機の回転数を上昇させた後、前記調節弁を前記第１開度としている場合、第１速度で、前記第２開度より小さい第３開度まで絞り、前記調節弁を前記第２開度としている場合、前記第１速度よりも速い第２速度で前記第３開度まで絞ることを特徴とする。
【００１１】
本発明に係る空気調和機は、前記室外熱交換器には複数の室内熱交換器が接続されていることを特徴とする。
【発明の効果】
【００１２】
本発明によれば、調節弁を絞る時間を短縮し、冷媒音を抑制することができる。
【図面の簡単な説明】
【００１３】
【図１】実施の形態１に係る空気調和機の構成を示す概略図である。
【図２】圧縮機の目標回転数についてのＬＵＴの概念図である。
【図３】膨張弁の開度に係る関数を示すグラフである。
【図４】選択条件を示すグラフである。
【図５】室内制御部による初期設定の手順を示すフローチャートである。
【図６】実施の形態２における膨張弁の開度に係る関数を示すグラフである。
【図７】実施の形態２における膨張弁の開度を決定する選択条件を示すグラフである。
【図８】室内制御部による初期設定の手順を示すフローチャートである。
【図９】実施の形態３に係る空気調和機の構成を示す概略図である。
【発明を実施するための形態】
【００１４】
以下、本発明をその実施の形態を示す図面に基づいて詳述する。
（実施の形態１）
図１は、実施の形態１に係る空気調和機の構成を示す概略図である。図１において、１００は空気調和機であり、空気調和機１００は、室外に設置される室外機１０１及び室内に設置される室内機１０２を備えている。空気調和機１００は、冷房機能及び暖房機能を有している。空気調和機１００は、リモートコントローラ１０３を備えており、該リモートコントローラ１０３により、運転のオンオフが行われ、冷房機能及び暖房機能の選択、設定温度等に係る情報が室内機１０２に送信される。なお、空気調和機１００は除湿機能を有していてもよい。
【００１５】
室外機１０１は、室外熱交換器１と、四方弁２と、膨張弁３と、圧縮機４と、室外送風機５とを有する。室外熱交換器１は、四方弁２及び膨張弁３夫々に接続され、四方弁２には、圧縮機４が接続されている。室外熱交換器１は冷媒による熱交換を行う。圧縮機４は、吸入した冷媒を圧縮して吐出する。圧縮機４は回転圧縮機であり、圧縮力は、動作周波数、即ち回転数に比例する。四方弁２は圧縮機４から吐出、又は圧縮機４に吸入される冷媒の流路を切り替え、膨張弁３は、通過する冷媒の流量を調節し、また減圧する。膨張弁３は開度が０ステップ（全閉）〜４００ステップ（全開）までの４００ステップになっており、ステッピングモータにより段階的に調整される。室外送風機５は、室外熱交換器１に向けて送風する。
【００１６】
また、室外熱交換器１には、室外温度を測定する室外温度センサ１０が取り付けられている。圧縮機４には、吐出口側に圧縮機４の吐出温度を測定する吐出センサ４０が取り付けられ、吸入口側に圧縮機４の吸入温度を測定するサクションセンサ４１が取り付けられている。
【００１７】
室外機１０１は、ＣＰＵ（central processing unit ）又はＭＰＵ（microprocessor unit ）を備える室外制御部６を更に有しており、室外制御部６は、四方弁２と、膨張弁３と、圧縮機４と、室外送風機５と、室外温度センサ１０と、吐出センサ４０と、サクションセンサ４１とに接続されている。室外制御部６は、後述するように四方弁２の流路の切替、膨張弁３の開度、圧縮機４の動作及び室外送風機５の動作の制御を行う。また、室外制御部６には、室外温度センサ１０、吐出センサ４０及びサクションセンサ４１夫々が測定した温度が入力される。
【００１８】
室内機１０２は、室内熱交換器７と、室内送風機８とを有する。室内熱交換器７は、室外機１０１の四方弁２及び膨張弁３夫々に接続されている。室内熱交換器７は、冷媒による熱交換を行い、室外送風機５は、室内機１０２から室内に向けて送風する。室内熱交換器７には、室内温度を測定する室内温度センサ７０及び室内湿度を測定する湿度センサ７１が取り付けられている。
【００１９】
室内機１０２は更に室内制御部９と、受信部９０と、記憶部９１とを備える。室内制御部９は、室内送風機８と、室内温度センサ７０と、湿度センサ７１とに接続されている。また、室内制御部９は、ＣＰＵ又はＭＰＵを備え、受信部９０が受信した情報を取得することができ、記憶部９１が記憶する情報を読み出し、また、記憶部９１に演算結果等を記憶させることができる。また、室内制御部９は、室内送風機８の動作の制御等を行う。室内制御部９には、室内温度センサ７０が測定した室内温度及び湿度センサ７１が測定した室内湿度が入力される。更に室内制御部９及び室外制御部６は、通信を行い、温度の測定値、作動命令に関する情報等を交信する。室内制御部９は、室外制御部６に、四方弁２の流路の切替、膨張弁３の開度、圧縮機４の動作及び室外送風機５の動作に係る命令を出力し、室外制御部６は該命令に係る動作を実行する。即ち、室内制御部９は、室外制御部６を介して、四方弁２の流路の切替、膨張弁３の開度、圧縮機４の動作及び室外送風機５の動作を制御する。したがって室内制御部９及び室外制御部６は、膨張弁３の動作を制御する膨張弁制御部及び圧縮機４の動作を制御する圧縮機制御部をなす。
【００２０】
受信部９０は、リモートコントローラ１０３が送信した情報を受信し、室内制御部９に入力する。記憶部９１は、ＲＯＭ及びＲＡＭ等を有しており、以下に述べるＬＵＴ（Lookup table）、冷房機能及び暖房機能の設定等、空気調和機１００の動作に関する情報を記憶している。
【００２１】
記憶部９１は、室外温度及び室内温度に基づいて設定された圧縮機４の目標回転数についてのＬＵＴを記憶している。図２は、圧縮機４の目標回転数についてのＬＵＴの概念図である。図２において、縦軸は、リモートコントローラ１０３の設定温度及び室内温度の差であり、横軸は室外温度である。リモートコントローラ１０３の設定温度及び室内温度の差が大きいほど、また、室外温度が高いほど、目標回転数は大きく設定されている。また、圧縮機４は、所定の初期回転数で作動した後、目標回転数まで回転数が上昇するように制御される。
【００２２】
また、記憶部９１は、圧縮機の目標回転数に対する膨張弁３の開度に係る関数を記憶している。記憶部９１は、空気調和機１００の起動時に使用される初期開度に係る関数、及び冷媒の流量が安定する安定開度に係る関数を記憶している。膨張弁３の初期開度には、通常開度及び絞り開度があり、記憶部９１は夫々に係る関数を記憶している。図３は、膨張弁３の開度に係る関数を示すグラフである。図３において、縦軸は、単位をステップとする膨張弁３の開度を示し、横軸は、単位をｒｐｍ（revolution per minute ）とする圧縮機４の目標回転数を示す。細線は通常開度に係る関数を示し、太線は絞り開度に係る関数を示し、一点鎖線は、安定開度に係る関数を示す。通常開度、絞り開度及び安定開度夫々の関数は、傾きが略同一であり、圧縮機４の回転数の増加に伴い、膨張弁３の開度は大きくなっている。また、最も低い目標回転数に対する開度、即ち開度の初期値は通常開度が最も大きく、安定開度が最も小さくなる。したがって、同一の回転数においては、通常開度、絞り開度、安定開度の順に開度は小さくなる。初期開度は、高湿度条件下において、空気調和機１００の起動時に室内熱交換器７への結露を防止するために使用される。圧縮機４の回転数が、初期回転数から目標回転数まで上昇した場合に、膨張弁３は、初期開度から、安定開度となるように制御される。ここで、同一の回転数においては、通常開度から安定開度に絞るよりも絞り開度から安定開度に絞る方が少ないステップ数となるので、安定開度まで絞ることに要する時間が短い。
【００２３】
記憶部９１は、更に、空気調和機１００の起動時において、通常開度及び絞り開度のいずれを選択するかについての選択条件を記憶している。図４は、選択条件を示すグラフである。記憶部９１が記憶する室内温度及び室内湿度夫々の閾値に基づいて、通常開度及び絞り開度が選択される。選択条件は冷媒音が発生しやすい条件に設定される。具体的には、記憶部９１は、室内温度が第１閾値Ｘ以下であり、室内湿度が第２閾値Ｙ以下である、即ち図４の斜線領域の範囲を選択条件として記憶している。第１閾値Ｘは１８℃以上であることが好ましく、Ｙは５０％であることが好ましい。
【００２４】
空気調和機１００において、室外熱交換器１、膨張弁３、圧縮機４及び室内熱交換器７は冷凍サイクルをなしている。四方弁２により前記冷凍サイクルにおける冷媒の流路を切り替えることにより、冷房機能及び暖房機能が切り替わる。
【００２５】
空気調和機１００が冷房を行う場合、気体の冷媒が圧縮機４にて圧縮されて高温高圧となり、四方弁２を介して室外熱交換器１に入り冷却され、低温高圧の液体となる。その後、冷媒は、膨張弁３によりその流量が調節されつつ、減圧されて室内熱交換器７に入り、蒸発して周囲の熱を奪い、低温低圧の気体となって四方弁２を介して圧縮機４に戻る。ここで、室外熱交換器１は、凝縮器として機能し、室内熱交換器７は蒸発器として機能する。
【００２６】
空気調和機１００が暖房を行う場合、四方弁２により冷媒の流路が冷房と反対になり、冷媒は、圧縮機４、四方弁２、室内熱交換器７、膨張弁３、室外熱交換器１、四方弁２、圧縮機４の順に流れ、室外熱交換器１は蒸発器として機能し、室内熱交換器７は凝縮器として機能する。
【００２７】
上述の如く構成された空気調和機１００は、リモートコントローラ１０３の操作によりオンされ、設定された冷房機能又は暖房機能、設定温度等の情報を受信して運転を開始する。受信部９０を介して情報を取得した室内制御部９は、記憶部９１に記憶された情報を読み出し、室外制御部６を介して圧縮機４に作動命令を出力する。圧縮機４が作動することにより冷媒が上述のように流れ、冷房又は暖房が行われる。ここで、空気調和機１００は、冷房の開始において、記憶部９１に記憶されたプログラムに基づき、以下に詳述する初期設定を行い、膨脹弁３の開度を制御する。室内制御部９及び室外制御部６は、膨脹弁３の動作を制御する制御装置をなしており、前記プログラムに係る処理を実行する。なお、該制御装置は、受信部９０及び記憶部９１を含んでいてもよい。また、室内制御部９のみが前記制御装置をなしていてもよい。このとき、室内制御部９は室外制御部６を介さず直接膨張弁３の動作を制御する。
【００２８】
図５は、室内制御部９による初期設定の手順を示すフローチャートである。室内制御部９は、リモートコントローラ１０３による空気調和機１００の冷房の起動後、次の処理を行うことにより、空気調和機１００の冷房の初期設定を行う。
【００２９】
室内制御部９は、受信部９０が受信したリモートコントローラ１０３の設定温度を取得し、室外制御部６を介して、室外温度センサ１０が測定した室外温度を取得し、室内温度センサ７０から室内温度を、湿度センサ７１から室内湿度を取得する（Ｓ１）。室内制御部９は、取得した設定温度及び室内温度の差を算出する（Ｓ２）。その後、室内制御部９は、算出した差及び取得した室外温度に基づき、ＬＵＴを参照して圧縮機４の目標回転数を設定する（Ｓ３）。
【００３０】
その後、室内制御部９は、室内温度及び室内湿度が、記憶部９１が記憶する選択条件に該当するか否かを判定する（Ｓ４）。即ち、室内制御部９は、室内温度が第１閾値Ｘ以下であり、かつ湿度が第２閾値Ｙ以下であるか否かを判定する。
【００３１】
室内制御部９は、室内温度及び室内湿度が、記憶部９１が記憶する選択条件に該当すると判定した場合（Ｓ４：ＹＥＳ）、膨張弁３を絞り開度に設定し（Ｓ５）、初期設定の動作を終了する。また、室内制御部９は、室内温度及び室内湿度が、選択条件に該当しないと判定した場合（Ｓ４：ＮＯ）、膨張弁３を通常開度に設定し（Ｓ６）、初期設定の動作を終了する。
【００３２】
初期設定を行った後、室内制御部９は、室外制御部６を介して、膨張弁３を初期設定で設定した開度に制御し、初期回転数で圧縮機４の作動を開始させる。また、室内制御部９は、室内送風機８を作動させ、室外制御部６を介して室外送風機５を作動させる。その後、室内制御部９は、圧縮機４の回転数を初期設定で設定した目標回転数まで上昇させ、膨張弁３を安定開度まで絞る。圧縮機４から吐出された冷媒が冷凍サイクルを経ることにより、空気調和機１００による室内の冷房が行われる。
【００３３】
ここで、空気調和機１００の冷房の起動時においては、冷媒の液化作用が不安定なため、室外熱交換器１及び膨張弁３の間において、気体及び液体が混合している。気体及び液体が混合した冷媒が安定開度よりも大きい開度の膨張弁３を通過する際、不快な音、いわゆる冷媒音が発生するという問題が生じる。安定開度においては、冷媒は膨張弁３を通過する際に略液体となっており、冷媒音は発生し難い。
【００３４】
上記の構成によれば、冷媒音が発生しやすい室内温度及び室内湿度条件下において、膨張弁３の初期開度を絞り開度に制御し、圧縮機４の回転数が目標回転数まで上昇した場合に、初期開度から安定開度まで膨張弁３の開度を絞る時間を短縮している。これにより、冷媒音が発生する時間を短縮し、冷媒音を抑制することができる。また、冷媒音は、時間の経過に伴って大きくなるが、冷媒音が発生する時間を短縮することにより、冷媒音が小さい時点で冷媒音の発生を終了でき、冷媒音の大きさを抑制することができる。
【００３５】
更に、膨張弁３を速く安定開度まで絞ることにより、空気調和機１００の使用者の快適性を向上させることができ、また、膨張弁３が安定開度である場合、電力消費の効率が良いので、空気調和機１００の冷房における電力消費を低減することができる。なお、室内制御部９は、湿度が第２閾値Ｙ（５０％）より大きい場合、膨張弁３を絞り開度に設定しないので、室内交換機７における結露の問題は生じない。
【００３６】
なお、室内制御部９は、室外制御部６を介さずに、四方弁２の流路の切替、膨張弁３の開度、圧縮機４の動作及び室外送風機５の動作を直接制御してもよい。このとき、室内制御部９のみが膨脹弁制御部及び圧縮機制御部をなす。また、室外制御部６及び室内制御部９を一つの制御部として、室内機１０２内に設け、前記一つの制御部が上記の動作を行ってもよい。このとき前記一つの制御部が膨脹弁制御部及び圧縮機制御部をなす。
【００３７】
（実施の形態２）
実施の形態２の空気調和機１００は、実施の形態１と同様の構成をなすが、冷房の初期設定が異なる。実施の形態２に係る空気調和機１００の構成について、実施の形態１と同様な構成については、同一の符号を付してその詳細な説明を省略する。
【００３８】
記憶部９１は、実施の形態１と同様に、膨張弁３の初期開度に係る関数として通常開度に係る関数及び絞り開度に係る関数を記憶し、安定開度に係る関数を記憶している。図６は、実施の形態２における膨張弁３の開度に係る関数を示すグラフである。図６においては、図３と同様に、縦軸は膨張弁３の開度を示し、横軸は圧縮機４の目標回転数を示す。細線は通常開度に係る関数を示し、太線は実施の形態２における絞り開度に係る関数を示し、一点鎖線は、安定開度に係る関数を示す。また、点線は実施の形態１における絞り開度に係る関数を示している。実施の形態２に係る絞り開度では、所定の目標回転数以上の場合の傾きは、図６の点線に示す実施の形態１における絞り開度に係る関数の傾きより小さい。したがって、実施の形態２における絞り開度は、圧縮機４が所定の回転数以上である場合、実施の形態１に比べて圧縮機４の回転数が大きくなるにしたがって安定開度により近い値となる。即ち、絞り開度は、通常開度との差が目標回転数の大小に応じて大小となるように設定されている。なお、所定の回転数以下の場合にも同様に、実施の形態１の絞り開度に係る関数の傾きよりも小さくしてもよい。
【００３９】
実施の形態２においては、実施の形態１の選択条件に加え、室外温度も考慮して、絞り開度に設定する。図７は、実施の形態２における膨張弁３の開度を決定する選択条件を示すグラフである。膨張弁３は、室外温度が第３閾値Ｚ以上であり、湿度がＹ以下である場合にも絞り開度に設定される。したがって、図７の斜線領域内に該当した場合、絞り開度に設定する。Ｚは２１℃以上であることが好ましく、このとき冷媒音が発生しやすくなる。ここで、図７は、Ｘ＞Ｚの場合を示しているが、Ｘの値は、Ｚの値以下であってもよい。
【００４０】
記憶部９１は、更に膨張弁３の開度を初期開度から安定開度に絞る速度として、第１速度と、該第１速度よりも速く絞る第２速度を記憶している。ここで、膨張弁３は、室内温度センサ７０及びサクションセンサ４１夫々が測定した温度の差と目標とする温度差との差を室内制御部９が積算していき、積算値が初期開度に対応する所定値に達した場合に所定ステップ絞られる。積算値は膨張弁３を絞るごとにリセットされ、膨張弁３は積算を繰り返していくことにより安定開度まで絞られる。これにより、膨張弁３を絞る速度は、前記所定値の大小により決定されることとなる。したがって、第１速度における所定値は、第２速度における所定値よりも大きく設定されている。
なお、膨張弁３は、所定時間が経過するごとに所定ステップ絞ることを繰り返していき、安定開度に到達させるようにしてもよい。この場合所定時間の大小により、第１速度及び第２速度の速さが決定される。
【００４１】
図８は、室内制御部９による初期設定の手順を示すフローチャートである。室内制御部９は、空気調和機１００の冷房の起動後、次の処理を行う。
【００４２】
室内制御部９は、受信部９０が受信したリモートコントローラ１０３の設定温度を取得し、室外制御部６を介して、室外温度センサ１０が測定した室外温度を取得し、室内温度センサ７０から室内温度を、湿度センサ７１から室内湿度を取得する（Ｓ１１）。室内制御部９は、取得した設定温度及び室内温度の差を算出する（Ｓ１２）。その後、室内制御部９は、算出した差及び取得した室外温度に基づき、ＬＵＴを参照して圧縮機４の目標回転数を設定する（Ｓ１３）。
【００４３】
その後、室内制御部９は、室外温度、室内温度及び室内湿度が、記憶部９１が記憶する選択条件に該当するか否かを判定する（Ｓ１４）。即ち、室内制御部９は、室内温度が第１閾値Ｘ以下又は室外温度が第２閾値Ｚ以上であり、かつ湿度が第２閾値Ｙ以下であるか否かを判定する。
【００４４】
室内制御部９は、室外温度、室内温度及び室内湿度が、選択条件に該当すると判定した場合（Ｓ１４：ＹＥＳ）、膨張弁３を絞り開度に設定し（Ｓ１５）、また、第２速度を設定して（Ｓ１６）、初期設定の動作を終了する。また、室内制御部９は、室外温度、室内温度及び室内湿度が、選択条件に該当しないと判定した場合（Ｓ１４：ＮＯ）、膨張弁３を通常開度に設定し（Ｓ１７）、また、第１速度を設定して（Ｓ１８）、初期設定の動作を終了する。
【００４５】
初期設定を行った後、室内制御部９は、室外制御部６を介して膨張弁３を初期設定で設定した開度に制御し、初期回転数で圧縮機４の作動を開始させる。また、室内制御部９は、室内送風機８を作動させ、室外制御部６を介して室外送風機５を作動させる。その後、室内制御部９は、圧縮機４の回転数を初期設定で設定した目標回転数まで上昇させ、初期設定で設定した絞り速度で膨張弁３を安定開度まで絞る。圧縮機４から吐出された冷媒が冷凍サイクルを経ることにより、空気調和機１００による室内の冷房が行われる。
【００４６】
上記の構成によれば、冷媒音が発生しやすい条件下において、膨張弁の開度を絞り開度に制御して、目標回転数まで上昇した場合に安定開度まで開度を絞る時間を短縮している。これにより、冷媒音が発生する時間を短縮し、冷媒音を抑制することができる。また、冷媒音が発生しやすい条件に室外温度を含めることにより、より確実に冷媒音を抑制することができる。
【００４７】
更に、圧縮機の目標回転数が大きい場合、即ち、比較的膨張弁３の開度が大きい場合に、絞り開度において、圧縮機の目標回転数が大きくなるほど、開度を安定開度に近づけている。したがって、膨張弁３の開度が大きく冷媒音が発生しやすい場合に、より速く膨張弁３を安定開度まで絞ることができ、冷媒音を抑制することができる。
【００４８】
更に、冷媒音が発生しやすい条件下において、第２速度で膨張弁３を速く安定開度まで絞るので、より冷媒音が発生する時間を短縮でき、冷媒音を抑制することができる。
【００４９】
また、冷媒音が発生する時間を短縮することにより、冷媒音が小さい時点で冷媒音の発生を終了でき、冷媒音の大きさを抑制することができる。
【００５０】
（実施の形態３）
実施の形態３は、室内機が複数存在する場合に関する。図９は、実施の形態３に係る空気調和機１００の構成を示す概略図である。実施の形態３に係る空気調和機１００の構成について、実施の形態１及び実施の形態２と同様な構成については、同一の符号を付してその詳細な説明を省略する。実施の形態３に係る空気調和機１００は、室外機１０１、二つの室内機１０２，１０２及び二つのリモートコントローラ１０３，１０３を備える。また、膨張弁３は、室内機１０２、１０２夫々に設けられている。
【００５１】
また、空気調和機１００は、冷媒の流路における分離及び合流を行う二つの分岐器２００、２０１を備える。分岐器２００には、室外熱交換器１が接続されており、膨張弁３、３が並列に接続されている。分岐器２０１には、四方弁２が接続されており、二つの室内熱交換器７、７が、分岐器２０１に並列に接続されている。分岐器２００、２０１の動作は、室外制御部６により制御される。
【００５２】
二つの室内機１０２、１０２においては、実施の形態１と同様に記憶部９１が記憶するＬＵＴに基づいて目標回転数を設定する。ここで、室内機１０２の一方のみが起動された場合は、該一方の室内機１０２において設定された目標回転数に基づき、室内制御部９が室外制御部６を介して、圧縮機４を作動させる。室内機１０２、１０２両方が起動された場合は、夫々において設定された目標回転数が室内制御部９、９から室外制御部６に入力される。室外制御部６は、入力された目標回転数を合算し、合算した値に基づいて、圧縮機４を作動させる。このとき、膨張弁３、３は、夫々の室内機１０２において設定された目標回転数に基づき、実施の形態１と同様に開度が制御される。また、室外制御部６は、分岐器２００、２０１の動作を制御することにより、室内機１０２、１０２への冷媒の流量を調節する。
【００５３】
なお、室内制御部９、９が交信を行い、いずれか一方が、室内機１０２、１０２夫々において設定された目標回転数を合算し、室外制御部６を介さずに、圧縮機４を作動させてもよい。また、室外制御部６及び一方の室内制御部９を一つの制御部として、該一方の室内制御部９に係る室内機１０２内に設け、前記一つの制御部が、上記動作を行ってもよい。
【００５４】
空気調和機１００が冷房運転している場合、圧縮機４から吐出された冷媒は、分岐器２００を通過する際に分離され、分離された冷媒は、夫々、膨張弁３、３を通過して、室内熱交換器７、７に入る。室内熱交換器７、７を通過した冷媒は、分岐器２０１にて合流し、四方弁２を通過して圧縮機４に吸入される。
【００５５】
室内制御部９、９は、夫々、記憶部９１が記憶するＬＵＴ、膨張弁３の開度に係る関数、選択条件に従って、膨張弁３の開度を設定する初期設定を実施の形態２と同様に行う。実施の形態３においては、圧縮機４の回転数を、目標回転数を合算した値まで上昇させた後、初期設定で設定した絞り速度で膨張弁３を安定開度まで絞る。
【００５６】
上記の構成によれば、室内機１０２、１０２の膨張弁３、３における冷媒音を抑制しつつ、室内機１０２、１０２により、二つの室内を冷却することができる。なお、室内機の数は、二つに限られず、三つ以上であってもよい。
【００５７】
本発明に係る空気調和機（１００）は、室外熱交換器（１）及び室内熱交換器（７）の間に配され、冷媒の流量を調節する調節弁（３）と、該調節弁（３）の開度を制御する調節弁制御部（６、９）と、室内温度を測定する室内温度測定部（７０）と、室内湿度を測定する湿度測定部（７１）とを備え、前記調節弁制御部（６、９）は、前記室内温度測定部（７０）が測定した室内温度が第１閾値よりも高い場合、又は前記湿度測定部（７１）が測定した室内湿度が第２閾値よりも高い場合、前記調節弁（３）を第１開度に制御し、前記室内温度が前記第１閾値以下であり、かつ前記室内湿度が前記第２閾値以下である場合、前記調節弁（３）を前記第１開度よりも開度が小さい第２開度に制御することを特徴とする。
【００５８】
本発明によれば、第１閾値及び第２閾値を冷媒音が発生しやすい条件に設定し、該条件に該当する場合に、調節弁（３）を第１開度よりも開度が小さい第２開度に制御し、該当しない場合に、調節弁（３）を第１開度に制御することができる。
【００５９】
したがって、起動時に、調節弁（３）を第２開度に制御した後、冷媒の流量が安定するまで開度を絞る場合において、開度を絞る時間を短縮することができる。
【００６０】
これにより、冷媒音が発生する時間を短縮し、冷媒音を抑制することができる。また、冷媒音は、時間の経過に伴って大きくなるが、冷媒音が発生する時間を短縮することにより、冷媒音が小さい時点で冷媒音の発生を終了でき、冷媒音の大きさを抑制することができる。更に、調節弁（３）を速く絞ることにより、空気調和機（１００）の使用者の快適性を向上させることができる。
【００６１】
本発明に係る空気調和機（１００）は、室外温度を測定する室外温度測定部（１０）を更に備え、前記調節弁制御部（６、９）は、更に、前記室外温度測定部（１０）が測定した室外温度が第３閾値以上であり、かつ前記室内湿度が前記第２閾値以下である場合には、前記調節弁（３）を前記第２開度に制御することを特徴とする。
【００６２】
本発明によれば、室外温度を冷媒音が発生しやすい条件に含めることができ、より確実に冷媒音を抑制することができる。
【００６３】
本発明に係る空気調和機（１００）は、圧縮機（４）と、室内温度及び室外温度に基づいて設定された目標回転数に基づき、前記圧縮機（４）の動作を制御する圧縮機制御部（６、９）とを更に備え、前記第１開度及び第２開度は、前記目標回転数に対応して設定されており、前記第２開度は、前記第１開度との差が前記目標回転数の大小に応じて大小となるように設定されていることを特徴とする。
【００６４】
本発明によれば、圧縮機（４）の目標回転数が大きいほど、即ち、調節弁（３）の開度が大きくなるほど、第２開度は、前記第１開度との差が大きい。したがって、調節弁（３）の開度が大きく冷媒音が発生しやすい場合に、より速くに冷媒音を抑制することができる。
【００６５】
本発明に係る空気調和機（１００）は、前記圧縮機制御部（６、９）は、前記圧縮機（４）を作動開始から所定の回転数で作動させた後、前記目標回転数に基づいて回転数を上昇させて前記圧縮機（４）を作動させ、前記調節弁制御部（６、９）は、前記圧縮機制御部（６、９）が前記圧縮機（４）の回転数を上昇させた後、前記調節弁（３）を前記第１開度としている場合、第１速度で、前記第２開度より小さい第３開度まで絞り、前記調節弁（３）を前記第２開度としている場合、前記第１速度よりも速い第２速度で前記第３開度まで絞ることを特徴とする。
【００６６】
本発明によれば、冷媒音が発生しやすい条件下において、第２速度で調節弁（３）を第３開度まで絞るので、第３開度で冷媒の流量が安定するように設定した場合に、より冷媒音が発生する時間を短縮でき、冷媒音を抑制することができる。また、冷媒音が発生する時間を短縮することにより、冷媒音が小さい時点で冷媒音の発生を終了でき、冷媒音の大きさを抑制することができる。また、調節弁（３）が第３開度である場合、電力消費の効率が良いので、早く第３開度まで絞ることにより、空気調和機（１００）の電力消費を低減することができる。
【００６７】
本発明に係る空気調和機（１００）は、前記室外熱交換器（１）には複数の室内熱交換器（１０２、１０２）が接続されていることを特徴とする。
【００６８】
本発明によれば、複数の室内熱交換器（７、７）により、複数の室内を冷却することができる。
【００６９】
本発明に係るプログラムは、室外熱交換器（１）及び室内熱交換器（７）の間に配され、冷媒の流量を調節する調節弁の動作を制御する制御装置（６、９）に、前記室内温度及び前記室内湿度を取得し、前記室内温度が第１閾値以下であるか否か、及び前記室内湿度が第２閾値以下であるか否かを判定し、室内温度が第１閾値以下でないと判定した場合、又は室内湿度が第２閾値以下でないと判定した場合、前記調節弁（３）を第１開度に制御し、前記室内温度が前記第１閾値以下であると判定し、かつ前記室内湿度が前記第２閾値以下であると判定した場合、前記調節弁（３）を前記第１開度よりも開度が小さい第２開度に制御する処理を実行させることを特徴とする。
【００７０】
本発明によれば、空気調和機（１００）において、第１閾値及び第２閾値を冷媒音が発生しやすい条件に設定し、該条件に該当する場合に、調節弁（３）を第１開度よりも開度が小さい第２開度にし、該当しない場合に、調節弁（３）を第１開度とすることができる。
【００７１】
したがって、空気調和機（１００）の起動時に、調節弁（３）を第２開度で開いた後、冷媒の流量が安定するまで開度を絞る場合において、開度を絞る時間を短縮することができる。
【００７２】
これにより、冷媒音が発生する時間を短縮し、冷媒音を抑制することができる。また、冷媒音は、時間の経過に伴って大きくなるが、冷媒音が発生する時間を短縮することにより、冷媒音が小さい時点で冷媒音の発生を終了でき、冷媒音の大きさを抑制することができる。更に、調節弁（３）を速く絞ることにより、空気調和機（１００）の使用者の快適性を向上させることができる。
【００７３】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。即ち、請求項に示した範囲で適宜変更した技術的手段を組み合わせて得られる実施形態も本発明の技術的範囲に含まれる。
【符号の説明】
【００７４】
１  室外熱交換器
３  膨張弁（調節弁）
４  圧縮機
６  室外制御部
７  室内熱交換器
９  室内制御部
１０  室外温度センサ（室外温度測定部）
７０  室内温度センサ（室内温度測定部）
７１  湿度センサ（湿度測定部）
１００  空気調和機
【図１】
0006573507.tif 000002
【図２】
0006573507.tif 000003
【図３】
0006573507.tif 000004
【図４】
0006573507.tif 000005
【図５】
0006573507.tif 000006
【図６】
0006573507.tif 000007
【図７】
0006573507.tif 000008
【図８】
0006573507.tif 000009
【図９】
0006573507.tif 000010